(57)【要約】      （修正有）【課題】複数のセキュリティレベルにそれぞれに応じた対応を行って円滑な印刷処理を行えるようにする。【解決手段】情報処理装置において生成され、複数のセキュリティレベルから１つが選択されて設定された印刷ジョブを受信し、その受信ジョブに基づいてロール状の記録媒体に記録を行う記録装置において、受信した印刷ジョブに設定されたセキュリティレベルを調べ、そのセキュリティレベルが第１のセキュリティレベルである場合、印刷ジョブに基づいてロール状の記録媒体に記録を行う前に認証を行わせ、その認証の結果に従って記録を行わせるよう制御する。また、そのセキュリティレベルが第２のセキュリティレベルである場合、印刷ジョブに基づいてロール状の記録媒体に記録を行わせ、記録がなされたロール状の記録媒体を切断する前に認証を行わせ、その認証の結果に従って前記切断を行わせるよう制御する。【選択図】図７
2015166936.tif 000002
【特許請求の範囲】
【請求項１】
印刷ジョブを生成し送信する情報処理装置と、前記情報処理装置に接続され前記印刷ジョブを受信し、前記受信したジョブに基づいてロール状の記録媒体に記録を行うことが可能な記録装置とを有する記録システムであって、
前記情報処理装置は、複数のセキュリティレベルから１つを選択して前記印刷ジョブに設定する設定手段を有し、
前記記録装置は、
前記情報処理装置から送信された前記印刷ジョブに設定されたセキュリティレベルを判別する判別手段と、
前記セキュリティレベルを用いて前記印刷ジョブの認証を行う認証手段と、
前記情報処理装置から送信された前記印刷ジョブに基づいて前記ロール状の記録媒体に記録を行う記録手段と、
前記記録手段により記録がなされた前記ロール状の記録媒体を切断する切断手段と、
前記判別手段により、前記印刷ジョブに設定されたセキュリティレベルが第１のセキュリティレベルであることが判別された場合、前記記録手段による記録の前に、前記認証手段により認証を行わせ、該認証の結果に従って、前記記録手段による記録を行わせるよう制御し、前記判別手段により、前記印刷ジョブに設定されたセキュリティレベルが第２のセキュリティレベルであることが判別された場合、前記記録手段による記録を行わせ、前記切断手段による切断の前に前記認証手段による認証を行わせ、該認証の結果に従って、前記切断手段による切断を行わせるよう制御する制御手段とを有することを特徴とする記録システム。
【請求項２】
印刷ジョブを生成する生成手段と、
複数のセキュリティレベルから１つを選択して前記印刷ジョブに設定する設定手段と、
前記設定手段によりセキュリティレベルが設定された前記印刷ジョブを記録装置に送信する送信手段とを有することを特徴とする情報処理装置。
【請求項３】
前記設定手段は、前記記録装置による印刷ジョブの認証のためにパスワードを設定し、
前記送信手段は、前記パスワードが更に設定された前記印刷ジョブを前記記録装置に送信することを特徴とする請求項２に記載の情報処理装置。
【請求項４】
請求項２又は請求項３に記載の情報処理装置からセキュリティレベルが設定された印刷ジョブを受信する受信手段と、
前記受信手段により受信された前記印刷ジョブに設定されたセキュリティレベルを判別する判別手段と、
前記セキュリティレベルを用いて前記印刷ジョブの認証を行う認証手段と、
前記情報処理装置から送信された前記印刷ジョブに基づいてロール状の記録媒体に記録を行う記録手段と、
前記記録手段により記録がなされた前記ロール状の記録媒体を切断する切断手段と、
前記判別手段により前記印刷ジョブに設定されたセキュリティレベルが第１のセキュリティレベルであることが判別された場合、前記記録手段による記録の前に、前記認証手段により認証を行わせ、該認証の結果に従って、前記記録手段による記録を行わせるよう制御し、前記判別手段により前記印刷ジョブに設定されたセキュリティレベルが第２のセキュリティレベルであることが判別された場合、前記記録手段による記録を行わせ、前記切断手段による切断の前に前記認証手段による認証を行わせ、該認証の結果に従って、前記切断手段による切断を行わせるよう制御する制御手段とを有することを特徴とする記録装置。
【請求項５】
前記第１のセキュリティレベルはセキュリティレベルが高く、
前記第２のセキュリティレベルはセキュリティレベルが低いことを特徴とする請求項４に記載の記録装置。
【請求項６】
前記認証手段は、
ＩＣカードと、
該ＩＣカードを読取るＩＣカードリーダとを含むことを特徴とする請求項４又は５に記載の記録装置。
【請求項７】
前記認証手段は、
前記印刷ジョブの認証のために認証コードを入力を促すメッセージを表示する表示手段と、
前記認証コードを入力する入力手段とを有することを特徴とする請求項４又は５に記載の記録装置。
【請求項８】
前記認証コードは、前記情報処理装置において設定された、前記印刷ジョブに対応したパスワードであることを特徴とする請求項７に記載の記録装置。
【請求項９】
前記制御手段は、前記第２のセキュリティレベルの印刷ジョブに対する前記記録手段による記録が終了し、前記認証手段による認証待ちとなっている場合であって、前記第１のセキュリティレベルの印刷ジョブが次の印刷ジョブとして受信し前記認証手段により認証した場合には、前記切断手段により前記認証待ちとなっている前記第２のセキュリティレベルの印刷ジョブの印刷結果を切断して排出し、続いて、前記第１のセキュリティレベルの印刷ジョブに基づいた記録を行い、前記切断手段による切断を行うよう前記記録手段と前記切断手段とを制御することを特徴とする請求項５乃至８のいずれか１項に記載の記録装置。
【請求項１０】
前記記録手段をカバーする開閉可能なカバーをさらに有し、
前記カバーは、前記切断手段により前記第２のセキュリティレベルの印刷ジョブに基づく印刷結果が切断され、排出されるまでロックされることを特徴とする請求項４乃至９のいずれか１項に記載の記録装置。
【請求項１１】
情報処理装置において生成され、複数のセキュリティレベルから１つが選択されて設定された印刷ジョブを受信し、前記受信したジョブに基づいてロール状の記録媒体に記録を行う記録装置の制御方法であって、
前記受信した印刷ジョブに設定されたセキュリティレベルを判別し、
前記印刷ジョブに設定されたセキュリティレベルが第１のセキュリティレベルであることが判別された場合、前記印刷ジョブに基づいて前記ロール状の記録媒体に記録を行う前に認証手段を用いて認証を行わせ、該認証の結果に従って記録を行わせるよう制御し、
前記印刷ジョブに設定されたセキュリティレベルが第２のセキュリティレベルであることが判別された場合、前記印刷ジョブに基づいて前記ロール状の記録媒体に記録を行わせ、前記記録がなされたロール状の記録媒体を切断する前に前記認証手段による認証を行わせ、該認証の結果に従って前記切断を行わせるよう制御することを特徴とする制御方法。
【発明の詳細な説明】
【技術分野】
【０００１】
本発明は記録システム、情報処理装置、記録装置、及びその制御方法に関し、特に、機密性を保ちながら円滑な印刷処理を行うことが可能な記録システム、情報処理装置、記録装置、及びその制御方法に関する。
【背景技術】
【０００２】
一般に記録装置の出力において、セキュリティを高める為、パスワード入力による印刷やＩＣカード認証による印刷が行われている。セキュリティには種々のセキュリティレベルが存在し、印刷結果そのものを見られたくないもの、出力印刷物の持ち去りを防ぎたいものなどが存在する。
【０００３】
印刷結果そのものを見られたくない場合、ユーザが記録装置の前でパスワードを入力した後、印刷を開始する記録装置が知られている。しかしながら、このような記録装置ではユーザがパスワード入力までその装置は印刷待機状態となり、別のユーザの印刷ジョブが開始できないという問題があった。このような問題を解決するため、従来より、例えば、特許文献１に提案されているように、パスワード入力が一定時間なかった場合にはその印刷予約をキャンセルする方法が知られている。
【０００４】
また、出力印刷物の持ち去りを防ぐため、ロール紙への印刷であれば、例えば、特許文献２に提案されているように、その印刷完了後、ユーザにパスワードを入力させ、そのロール紙をカットすることにより持ち去りを防ぐ方法が知られている。
【先行技術文献】
【特許文献】
【０００５】
【特許文献１】特開２００４−１０９９３５号公報
【特許文献２】特願２００７−３２５６９７号公報
【発明の概要】
【発明が解決しようとする課題】
【０００６】
しかしながら上記従来例は、印刷結果そのものを見られたくない場合のみ、或いは、出力印刷物の持ち去りを防ぎたい場合のみに、個別に対応した方法であり、これら２つの要求が混在する場合は考慮されていなかった。
【０００７】
本発明は上記従来例に鑑みてなされたもので、複数のセキュリティレベルの要求にも対応し、円滑な印刷処理を行うことが可能な記録システム、情報処理装置、記録装置、及びその制御方法を提供することを目的とする。
【課題を解決するための手段】
【０００８】
上記目的を達成するために本発明の記録システムは次のような構成からなる。
【０００９】
即ち、印刷ジョブを生成し送信する情報処理装置と、前記情報処理装置に接続され前記印刷ジョブを受信し、前記受信したジョブに基づいてロール状の記録媒体に記録を行うことが可能な記録装置とを有する記録システムであって、前記情報処理装置は、複数のセキュリティレベルから１つを選択して前記印刷ジョブに設定する設定手段を有し、前記記録装置は、前記情報処理装置から送信された前記印刷ジョブに設定されたセキュリティレベルを判別する判別手段と、前記セキュリティレベルを用いて前記印刷ジョブの認証を行う認証手段と、前記情報処理装置から送信された前記印刷ジョブに基づいて前記ロール状の記録媒体に記録を行う記録手段と、前記記録手段により記録がなされた前記ロール状の記録媒体を切断する切断手段と、前記判別手段により、前記印刷ジョブに設定されたセキュリティレベルが第１のセキュリティレベルであることが判別された場合、前記記録手段による記録の前に、前記認証手段により認証を行わせ、該認証の結果に従って、前記記録手段による記録を行わせるよう制御し、前記判別手段により、前記印刷ジョブに設定されたセキュリティレベルが第２のセキュリティレベルであることが判別された場合、前記記録手段による記録を行わせ、前記切断手段による切断の前に前記認証手段による認証を行わせ、該認証の結果に従って、前記切断手段による切断を行わせるよう制御する制御手段とを有することを特徴とする。
【００１０】
また本発明を別の側面から見れば、印刷ジョブを生成する生成手段と、複数のセキュリティレベルから１つを選択して前記印刷ジョブに設定する設定手段と、前記設定手段によりセキュリティレベルが設定された前記印刷ジョブを記録装置に送信する送信手段とを有することを特徴とする情報処理装置を備える。
【００１１】
さらに本発明を別の側面から見れば、上記構成の情報処理装置からセキュリティレベルが設定された印刷ジョブを受信する受信手段と、前記受信手段により受信された前記印刷ジョブに設定されたセキュリティレベルを判別する判別手段と、前記セキュリティレベルを用いて前記印刷ジョブの認証を行う認証手段と、前記情報処理装置から送信された前記印刷ジョブに基づいてロール状の記録媒体に記録を行う記録手段と、前記記録手段により記録がなされた前記ロール状の記録媒体を切断する切断手段と、前記判別手段により前記印刷ジョブに設定されたセキュリティレベルが第１のセキュリティレベルであることが判別された場合、前記記録手段による記録の前に、前記認証手段により認証を行わせ、該認証の結果に従って、前記記録手段による記録を行わせるよう制御し、前記判別手段により前記印刷ジョブに設定されたセキュリティレベルが第２のセキュリティレベルであることが判別された場合、前記記録手段による記録を行わせ、前記切断手段による切断の前に前記認証手段による認証を行わせ、該認証の結果に従って、前記切断手段による切断を行わせるよう制御する制御手段とを有することを特徴とする記録装置を備える。
【００１２】
またさらに本発明を別の側面から見れば、情報処理装置において生成され、複数のセキュリティレベルから１つが選択されて設定された印刷ジョブを受信し、前記受信したジョブに基づいてロール状の記録媒体に記録を行う記録装置の制御方法であって、前記受信した印刷ジョブに設定されたセキュリティレベルを判別し、前記印刷ジョブに設定されたセキュリティレベルが第１のセキュリティレベルであることが判別された場合、前記印刷ジョブに基づいて前記ロール状の記録媒体に記録を行う前に認証手段を用いて認証を行わせ、該認証の結果に従って記録を行わせるよう制御し、前記印刷ジョブに設定されたセキュリティレベルが第２のセキュリティレベルであることが判別された場合、前記印刷ジョブに基づいて前記ロール状の記録媒体に記録を行わせ、前記記録がなされたロール状の記録媒体を切断する前に前記認証手段による認証を行わせ、該認証の結果に従って前記切断を行わせるよう制御することを特徴とする制御方法を備える。
【発明の効果】
【００１３】
従って本発明によれば、例えば、印刷そのものを見られたくない印刷ジョブ、印刷出力物の持ち去りを防ぎたい印刷ジョブなど複数のセキュリティレベルの印刷ジョブが混在しても、これらに対応した円滑な印刷処理を行うことができるという効果がある。
【図面の簡単な説明】
【００１４】
【図１】複数のセキュリティレベルに対応した記録システムの概要を示す斜視図である。
【図２】図１に示した記録装置の制御構成を示すブロック図である。
【図３】ホストコンピュータで実行する印刷ジョブのセキュリティレベル設定画面を示す図である。
【図４】各セキュリティレベルの印刷ジョブにおける印刷処理の終了までを示したフローチャートである。
【図５】認証待ちの様子を示した斜視図である。
【図６】認証待ちの操作パネル表示を示した図である。
【図７】実施例１に従う認証待ちにある記録装置の処理を示したフローチャートである。
【図８】操作パネルの表示画面を示す図である。
【図９】実施例２に従う認証待ちにある記録装置の処理を示したフローチャートである。
【図１０】パスワード入力を要求するホストコンピュータの操作画面を表した図である。
【図１１】認証待ちにある記録装置の処理を示したフローチャートである。
【発明を実施するための形態】
【００１５】
以下に、図面を参照しながら本発明の実施例について詳細に説明する
なお、この明細書において、「記録」（以下、「プリント」とも称する）とは、文字、図形等有意の情報を形成する場合のみならず、有意無意を問わず、広く記録媒体上に画像、模様、パターン等を形成する、又は媒体の加工を行う場合も表すものとする。また、人間が視覚で知覚し得るように顕在化したものであるか否かを問わない。
【００１６】
また、「記録媒体」とは、一般的な記録装置で用いられる紙のみならず、広く、布、プラスチック・フィルム、金属板、ガラス、セラミックス、木材、皮革等、インクを受容可能なものも表すものとする。
【００１７】
また、「インク」とは、上記「記録」の定義と同様広く解釈されるべきもので、記録媒体上に付与されることによって、画像、模様、パターン等の形成又は記録媒体の加工、或いはインクの処理に供され得る液体を表すものとする。インクの処理としては、例えば記録媒体に付与されるインク中の色剤の凝固又は不溶化させることが挙げられる。
【００１８】
またさらに、「記録素子」（「ノズル」という場合もある）とは、特にことわらない限りインク吐出口乃至これに連通する液路及びインク吐出に利用されるエネルギーを発生する素子を総括して言うものとする。
【００１９】
［記録システムの構成］
図１は本発明の代表的な実施例である記録システムを示す斜視図である。
【００２０】
この記録システムは、印刷ジョブを生成するホストコンピュータ（以下、ホスト）１とホスト１とＮＦＣやＵＳＢやネットワーク等のインタフェース２によって接続され、ホスト１から送信された印刷ジョブの印刷を行うインクジェット記録装置１０とを含む。なお、ホストの代表的な例としてはパーソナルコンピュータ（ＰＣ）があるが、以下に説明するセキュリティレベルを設定する印刷ジョブを生成できる情報処理装置であれば、本発明はＰＣに限定されるものではない。例えば、タブレット端末、ＰＤＡ（携帯情報端末）スマートフォン、デジタルカメラなど種々の形態の情報処理装置で良い。
【００２１】
インクジェット記録装置（以下、記録装置）１０は、メインカバー１１、操作パネル１２、キャリッジ１３、カッタユニット１４、プラテン１５などを備え、ロール紙１６を装填し、印刷を行う。なお、記録装置１０はロール紙のようなロール状の記録媒体のみならず、定型サイズにカットしたカット紙のような記録媒体を使用することもできる。
【００２２】
メインカバー１１はインクジェット記録ヘッド（以下、記録ヘッド）の取り付けや記録装置内部に詰まった用紙を取り除くために開閉可能であるが、印刷中は危険防止の為、ロックされ、開けることはできない。操作パネル１２はユーザからの記録装置１０への操作指示を受け付け、記録装置１０の状態を表示する。そのため、操作パネルにはＬＥＤランプ、ＬＣＤ、種々のキーなどが備えられる。
【００２３】
キャリッジ１３は記録ヘッドを搭載し、図面上では左右に往復移動して、その記録ヘッドからプラテン１５に搬送されたロール紙１６にインクを吐出することで印刷を行う。また、カッタユニット１４はキャリッジ１３に備えつけられ、キャリッジ１３とともに移動して、記録ヘッドによる印刷後、ロール紙１６を切断する。ロール紙１６はその印刷開始にはその先端部がプラテン１５上へと給紙され、印刷動作に伴って搬送される。
【００２４】
記録システムにはさらに、認証のためにＩＣカード２１を読取るＩＣカードリーダ２０が装着されている。
【００２５】
［記録装置の制御構成概要］
図２は、記録装置１０における制御回路の構成を示すブロック図である。
【００２６】
図２に示すように、記録装置１０はインタフェース２を介してホスト１から送られた印刷ジョブを受信バッファ３１で受信し一時的に蓄え、データ解析部３２によりその印刷ジョブを解析して、その印刷ジョブのセキュリティレベルを判別する。一方、画像処理部３３は印刷ジョブの画像処理を行い、その結果得られた印刷データをエンジン３４に転送する。そして、エンジン３４では、その印刷データに基づいて、記録ヘッドからインクを吐出してロール紙への印刷を行う。印刷終了後、そのロール紙はカッタユニット１４によりカットされる。
【００２７】
印刷処理制御部３５は操作パネル制御部３６や認証部３７を接続し、印刷ジョブのキャンセルやユーザ操作などのイベントに応じて、記録装置全体の制御を行う。認証部３７は、例えば、ＩＣカードリーダ２０を介してＩＣカード２１の情報を入力し、ユーザ認証を行う。
【００２８】
図３はホスト１において印刷ジョブのセキュリティレベルを設定する操作画面を示す図である。
【００２９】
ホスト１の操作画面１００によりユーザは印刷ジョブの出力方法１０１を出力方法の選択肢１０２から選択する。この実施例では、印刷は認証を必要としない印刷ジョブと、ユーザが記録装置の前で認証を行った後、印刷を開始する高セキュリティの印刷ジョブと、印刷終了後の用紙カットにおいて、認証が必要な低セキュリティの印刷ジョブとがある。ユーザは印刷ジョブの出力方法１０１を選択した後、ＯＫボタン１０３をクリックすることで選択した出力方法を確定させ記録装置１０へ印刷ジョブの送信を開始する。なお、高セキュリティを第１のセキュリティレベル、低セキュリティを第２のセキュリティレベルという。
【００３０】
次に、以上の構成の記録システムにおける認証を伴う印刷処理の実施例について説明する。
【実施例１】
【００３１】
図４はセキュリティレベルに応じた印刷ジョブの印刷処理の概要を示すフローチャートである。
【００３２】
記録装置１０はステップＳ１００１で印刷ジョブの受信を待ち合わせ、ホスト１から印刷ジョブを受信するとこれを受信バッファ３１に蓄えると共に処理はステップＳ１００２に進む。
【００３３】
ステップＳ１００２ではデータ解析部３２は受信した印刷ジョブのセキュリティレベルが高いかどうかを調べる。ここで、セキュリティレベルが高い印刷ジョブであることが判別された場合、処理はステップＳ１００３に進み、ユーザ認証待ちとなる。ステップＳ１００３において、ユーザ認証が成功すると処理はステップＳ１００４に進み、画像処理部３３で印刷ジョブの画像処理を行い、エンジン３４で印刷ジョブに基づいた印刷を行う。印刷ジョブの印刷終了後、処理はステップＳ１００５に進み、カッタユニット１４によりロール紙１６をカットし、印刷処理を終了する。
【００３４】
従って、セキュリティレベルの高い印刷ジョブはユーザ認証後に印刷を開始するので、周りに該当ユーザ以外の人がいないことを確認してから印刷処理を行うことができる。
【００３５】
さて、ステップＳ１００２において、受信した印刷ジョブはセキュリティレベルが高くないと判別された場合、処理はステップＳ１００６に進み、データ解析部３２は受信した印刷ジョブのセキュリティレベルが低いかどうかを調べる。ここで、セキュリティレベルが低い印刷ジョブであることが判別された場合、処理はステップＳ１００７に進み、印刷ジョブに基づいた印刷を行う。印刷ジョブの印刷終了後、処理はステップＳ１００８に進み、ユーザ認証待ちとなる。ステップＳ１００８において、ユーザ認証が成功すると処理はステップＳ１００９に進み、カッタユニット１４によりロール紙１６をカットし、印刷処理を終了する。
【００３６】
従って、セキュリティレベルの低い印刷ジョブはユーザ認証が行われるまで、ロール紙からのカットが為されないので出力印刷物の持ち去りを防ぐことができる。
【００３７】
さらに、ステップＳ１００６において、受信した印刷ジョブはセキュリティレベルが低いものではない、即ち、セキュリティレベルが設定されていないことが判別された場合、処理はステップＳ１０１０に進み、その印刷ジョブに基づいた印刷を行う。そして、ステップＳ１０１１でカッタユニット１４によりロール紙１６をカットし、印刷処理を終了する。
【００３８】
図５は低セキュリティレベルの印刷ジョブを印刷した時の認証待ちの様子を示した斜視図である。これは、図４に示したフローチャートのステップＳ１０００における状態を表している。この時点で、記録装置１０はロール紙１６への印刷を終了し、ＩＣカードリーダ２０からの認証待ちで動作を停止している。このとき、メインカバー１１は印刷処理終了までロックがかけられた状態となっている。一方、操作パネル１２には認証待ちである旨を伝えるメッセージが表示されている。
【００３９】
図６は低セキュリティレベルの印刷ジョブを印刷時に操作パネル１２に表示される認証待ちメッセージを示した図である。
【００４０】
これにより、記録装置１０は操作パネル１２を介してユーザへ対しＩＣカード２１による認証を促す。
【００４１】
図４のフローチャートに示すステップＳ１００８において、認証が為されない場合、印刷処理はユーザ認証待ちとなる。以下に説明する処理は、その認証待ちの状態において記録装置１０が実行する処理である。
【００４２】
図７は認証待ちにある記録装置が実行する処理を示したフローチャートである。
【００４３】
まず、ステップＳ２００１では印刷処理は認証待ちにある。この状態で、ステップＳ２００２でＩＣカードリーダ２０による認証が行われ、さらにステップＳ２００３では、その認証が高セキュリティ権限をもったユーザによるのか、又は、低セキュリティ権限をもったユーザによるのかを判別する。
【００４４】
ここで、認証が高セキュリティ権限によるユーザであると判別された場合、処理はステップＳ２００４に進み、現在認証待ちにある低セキュリティの印刷ジョブの次に高セキュリティの印刷ジョブがあるのかどうかを調べる。このタイミングでは、現在認証待ちにある低セキュリティの印刷ジョブに対しては既に印刷が終了しているが、その印刷結果がロール紙より切り離されていない状態にある。従って、印刷結果がカットされる前に、次の印刷ジョブがホスト１から送信されてくることがあり得る。
【００４５】
ここで、次の印刷ジョブに高セキュリティの印刷ジョブがあると判断された場合、処理はステップＳ２００５に進み、認証待ちにある低セキュリティ印刷ジョブに基づいて印刷がなされたロール紙をカットする。そして、ステップＳ２００６では、受信した高セキュリティの印刷ジョブの印刷を開始し、印刷終了後、その印刷結果をカットする。
【００４６】
これに対して、ステップＳ２００３において、認証が低セキュリティ権限をもったユーザによるものであると判別された場合、処理はステップＳ２００７に進む。ステップＳ２００７では、認証待ちにある低セキュリティの印刷ジョブに基づく印刷結果をロール紙からカットし、印刷処理を終了する。
【００４７】
また、ステップＳ２００４において、現在認証待ちにある低セキュリティの印刷ジョブの次に高セキュリティの印刷ジョブがないと判断された場合、処理はステップＳ２００７に進む。ステップＳ２００７では、その認証待ちにある低セキュリティ印刷ジョブに基づく印刷結果をロール紙をカットし、印刷処理を終了する。
【００４８】
従って以上説明した実施例に従えば、セキュリティレベルに従った適切な印刷処理を行うことができる。また、認証待ちの低セキュリティの印刷ジョブがあり、高セキュリティの印刷ジョブの印刷が認証された場合には、認証待ちジョブをカットして排紙（排出）するとともに、高セキュリティの印刷ジョブの出力を速やかに行うことができる。このようにして、セキュリティレベルの高い印刷ジョブに対しては優先的に印刷処理を行うことが可能になる。
【実施例２】
【００４９】
実施例１では、ＩＣカードとＩＣカードリーダとをユーザ認証に用いたが、同様の認証処理は記録装置の操作パネルを用いて行うこともできる。この実施例では認証処理を操作パネルを用いる例について説明する。
【００５０】
図４のフローチャートに示すステップＳ１００８において、認証が為されない場合、印刷処理はユーザ認証待ちとなる。以下に説明する処理は、その認証待ちの状態において記録装置１０が実行する処理である。
【００５１】
図８はユーザ認証処理に用いる操作パネル１２の表示画面を示す図である。
【００５２】
この実施例ではユーザは図８に示す操作パネル１２の表示画面の入力欄に認証コードを入力し、認証処理を行う。これにより認証が実行されると、認証待ちの低セキュリティの印刷ジョブに基づく印刷結果がロール紙からカットされる。
【００５３】
図９は実施例２に従う認証待ちにある記録装置が実行する処理を示したフローチャートである。なお、図９において、既に実施例１において説明したのと同じ処理ステップには同じステップ参照番号を付し、その説明は省略する。
【００５４】
図９によれば、ステップＳ２００１における低セキュリティの印刷ジョブの認証待ちにおいて、ステップＳ２００２ａでは、認証コードを図８に示した表示画面の入力欄から入力し、ユーザ認証を実行する。
【００５５】
ユーザ認証が実行されると、実施例１の図７において説明したステップＳ２００３〜Ｓ２００７を実行する。
【００５６】
従って以上説明した実施例に従えば、ＩＣカードやＩＣカードリーダなどの付属機器を用いることなく、ユーザ認証を行った印刷処理を行うことができる。
【実施例３】
【００５７】
実施例２では記録装置の操作パネルをユーザ認証に用いたが、ここではその認証処理に用いるパスワードを印刷ジョブの送信前にホスト１を用いて設定し、その設定に従ってユーザ認証を実行する例について説明する。
【００５８】
図１０は印刷ジョブ送信を行う際にパスワード入力を要求するホスト１の操作画面を示す図である。
【００５９】
この実施例では、ユーザが前述した出力方法の設定を高セキュリティ印刷、又は、低セキュリティ印刷を選択し、ＯＫボタン１０３を押すと、図１０に示すようなパスワードの確認画面２００が表示され、ユーザにパスワード入力が促される。ユーザは入力欄２０１へパスワードを入力し、ＯＫボタン２０２を押すと記録装置１０へ印刷ジョブが送信される。
【００６０】
さて、ユーザが選択した印刷方法が低キュリティ印刷である場合、図４を参照した印刷処理はステップＳ１００８で認証待ちになる。以下に説明する処理は、その認証待ちの状態において記録装置１０が実行する処理である。
【００６１】
図１１は実施例３に従う認証待ちにある記録装置が実行する処理を示したフローチャートである。なお、図１１において、既に実施例１において説明したのと同じ処理ステップには同じステップ参照番号を付し、その説明は省略する。
【００６２】
図１１によれば、ステップＳ２００１における低セキュリティの印刷ジョブの認証待ちにおいて、ステップＳ２００２ｂでは、ユーザは記録装置１０の操作パネル１２からパスワードを入力する。ステップＳ２００３ａでは、入力パスワードが認証待ちの低セキュリティの印刷ジョブに対応するパスワードであるかどうかを判別する。
【００６３】
ここで、入力パスワードが当該印刷ジョブのパスワードであることが判別された場合、処理はステップＳ２００７に進み、当該印刷ジョブに基づいく印刷がなされたロール紙をカットし、印刷処理を終了する。
【００６４】
これに対して、入力パスワードが当該印刷ジョブのパスワードでないことが判別された場合、処理はステップＳ２００４を実行する。そして、次の印刷ジョブが高セキュリティの印刷ジョブであることが判別された場合、処理はステップＳ２００４ａに進む。これに対して、次の印刷ジョブが高セキュリティの印刷ジョブでないことが判別された場合、処理はステップＳ２００１に戻り、低セキュリティの印刷ジョブの認証待ちとなる。
【００６５】
ステップＳ２００４ａでは、ステップＳ２００２ｂで入力されたパスワードが次の印刷ジョブのパスワードであるかどうかを判別する。ここで、入力パスワードが次の印刷ジョブのパスワードでないことが判別された場合、処理はステップＳ２００１に戻り、低セキュリティの印刷ジョブの認証待ちとなる。これに対して、入力パスワードが次の印刷ジョブに対応するパスワードである場合、処理はステップＳ２００５〜Ｓ２００６の処理を実行する。そして、印刷処理を終了する。
【００６６】
従って以上説明した実施例に従えば、印刷ジョブに対応して設定されたパスワードに基づいて認証処理を行うことができる。また、認証待ちの低セキュリティ印刷ジョブが存在していても、次の印刷ジョブが高セキュリティでありそのパスワードが入力されたなら、認証待ちジョブをカットして排紙（排出）するとともに、高セキュリティの印刷ジョブの出力を速やかに行うことができる。このようにして、セキュリティレベルの高い印刷ジョブに対しては優先的に印刷処理を行うことが可能になる。
【００６７】
なお以上説明した実施例１〜３では、印刷ジョブのセキュリティレベルとして高セキュリティと低セキュリティの２つを設ける例について説明したが、３つ以上の複数のセキュリティレベルとそれに対応する動作を設けても良い。
【図１】
2015166936.tif 000003
【図２】
2015166936.tif 000004
【図３】
2015166936.tif 000005
【図４】
2015166936.tif 000006
【図５】
2015166936.tif 000007
【図６】
2015166936.tif 000008
【図７】
2015166936.tif 000009
【図８】
2015166936.tif 000010
【図９】
2015166936.tif 000011
【図１０】
2015166936.tif 000012
【図１１】
2015166936.tif 000013